(57)【要約】      （修正有）【課題】異なる電子装置間でデータをより伝送しやすいカード読取装置を提供する。【解決手段】制御モジュールと、制御モジュールを携帯機器に電気的に接続させるように制御モジュールと電気的に接続される第１のコネクタ１６と、制御モジュールを電子装置に電気的に接続させるように制御モジュールと電気的に接続される第２のコネクタ１７と、第１のコネクタと第２のコネクタとの間に設けられる保護モジュールと、第１の記憶モジュールを収容するための第１のスロット１４と、第２の記憶モジュールを収容するための第２のスロット１５とを備えるカード読取装置１を提供する。携帯機器又は電子装置は、制御モジュールを介して第１の記憶モジュール又は第２の記憶モジュールとデータ伝送を行う。【選択図】図１
0003209884.tif 000002
【実用新案登録請求の範囲】
【請求項１】
制御モジュールと、
前記制御モジュールを携帯機器に電気的に接続されるように前記制御モジュールと電気的に接続される第１のコネクタと、
前記制御モジュールを電子装置に電気的に接続されるように前記制御モジュールと電気的に接続される第２のコネクタと、
前記第１のコネクタと前記第２のコネクタとの間に設けられる保護モジュールと、
前記制御モジュールにより検出され、第１の記憶モジュールを収容するための第１のスロットと、
前記制御モジュールにより検出され、第２の記憶モジュールを収容するための第２のスロットと、
を含み、
前記携帯機器又は前記電子装置は、前記制御モジュールを介して前記第１の記憶モジュール又は前記第２の記憶モジュールとデータ伝送を行うことを特徴とするカード読取装置。
【請求項２】
前記制御モジュールは前記第１の記憶モジュール又は前記第２の記憶モジュールを検出し、
前記電子装置は前記制御モジュールを介して、前記第１の記憶モジュール、前記第２の記憶モジュール及び前記携帯機器の間のデータ伝送を制御することを特徴とする、請求項１に記載のカード読取装置。
【請求項３】
前記携帯機器は前記第１のコネクタ、前記制御モジュール及び前記第２のコネクタを介して、前記電子装置とデータ伝送を行い、
前記電子装置は前記第１のコネクタ、前記制御モジュール及び前記第２のコネクタを介して、前記携帯機器とデータ伝送を行い、
前記携帯機器は前記制御モジュールを介して、前記第１の記憶モジュール、前記第２の記憶モジュール及び前記電子装置の間のデータ伝送を制御することを特徴とする、請求項１に記載のカード読取装置。
【請求項４】
前記第１のコネクタと前記第２のコネクタとの間に設けられ、前記第１のコネクタと前記第２のコネクタとの間で給電経路が確立されるように前記制御モジュールにより制御される給電モジュールをさらに備えることを特徴とする、請求項１に記載のカード読取装置。
【請求項５】
前記給電モジュールは、電圧検出ユニットと、スイッチユニットとを備え、前記電圧検出ユニットが前記第２のコネクタの第１の電圧を検出することにより、前記制御モジュールが前記給電モジュールを制御することを特徴とする、請求項４に記載のカード読取装置。
【請求項６】
前記携帯機器は前記第１のコネクタ、前記制御モジュール及び前記第２のコネクタを介して、前記電子装置とデータ伝送を行い、
前記電子装置は前記第１のコネクタ、前記制御モジュール及び前記第２のコネクタを介して、前記携帯機器とデータ伝送を行うことを特徴とする、請求項５に記載のカード読取装置。
【請求項７】
前記第１のコネクタはライトニングコネクタであり、
前記第２のコネクタはマイクロユニバーサルシリアルバスコネクタ又はＣ型ユニバーサルシリアルバスコネクタであることを特徴とする、請求項１に記載のカード読取装置。
【考案の詳細な説明】
【技術分野】
【０００１】
本考案はカード読取装置を提供し、特に二つのコネクタを有するカード読取装置に関する。
【背景技術】
【０００２】
現在市販されているカード読取装置は、複数の記憶モジュール（メモリカード）と接続することができるが、通常、単一の電子装置又は携帯機器と接続しデータ伝送を行うことしかできない。そのため、異なる電子装置又は携帯機器間でデータ伝送を行う場合、まず、データを記憶モジュール（メモリカード）に格納してから、カード読取装置及び記憶モジュール（メモリカード）を別の電子装置又は携帯機器に接続することしかできない。さもないと、記憶モジュール（メモリカード）のデータを伝送することができない。このように頻繁で繁雑な電子装置の接続手段を変更する作業は、利用者にとっては実に非常に不便である。
【考案の概要】
【考案が解決しようとする課題】
【０００３】
従って、異なる電子装置間でデータをより伝送しやすいカード読取装置を如何に提供するかは、すでに業界における課題の一つとなっている。
【課題を解決するための手段】
【０００４】
本考案に係る実施例は、制御モジュールと、制御モジュールを携帯機器に電気的に接続させる制御モジュールと電気的に接続される第１のコネクタと、制御モジュールを電子装置に電気的に接続される制御モジュールと電気的に接続される第２のコネクタと、第１のコネクタと第２のコネクタとの間に設けられる保護モジュールと、制御モジュールと電気的に接続され、第１の記憶モジュールを収容するための第１のスロットと、制御モジュールと電気的に接続され、第２の記憶モジュールを収容するための第２のスロットとを備えるカード読取装置を提供する。携帯機器又は電子装置は、制御モジュールを介して第１の記憶モジュール又は第２の記憶モジュールとデータ伝送を行う。
【考案の効果】
【０００５】
本考案に係る実施例のカード読取装置は、２種類のコネクタと２つの記憶モジュールスロットとを備えるため、異なる記憶モジュール間で切り替えることができるだけでなく、同時に携帯機器及び電子装置と接続することができ、且つ携帯機器、電子装置、２種類の異なる記憶モジュール間でデータ伝送を行うことができる。これにより、利用者が異なる電子装置間でデータ伝送を行う場合に頻繁で繁雑な接続対象を変更する作業を効果的に削減できるため、便利で速やかなデータ伝送体験を提供する。
【図面の簡単な説明】
【０００６】
【図１】図１は、本考案に係る実施例のカード読取装置の模式図を示す。
【図２】図２は、図１のカード読取装置の機能の模式図を示す。
【図３】図３は、本考案に係る実施例のカード読取装置の給電モジュール及び保護モジュールの模式図を示す。
【考案を実施するための形態】
【０００７】
以上の本考案内容に関する説明及び以下の実施形態の説明は本考案の原理について例を挙げて説明し、且つ本考案の特許請求の範囲の更なる説明を提供するためのものである。
【０００８】
［本考案に係るカード読取装置の実施例］
まず、図１から図３を参照する。図１は本考案に係る実施例のカード読取装置の模式図を示す。図２は図１のカード読取装置の機能の模式図を示す。図３は本考案に係る実施例のカード読取装置の給電モジュール及び保護モジュールの模式図を示す。
【０００９】
本実施例では、説明しやすいように、二つの端点を有する電子モジュールであれば、垂直に載置される場合、その上端の端点が第１端、その下端の端点が第２端であり、水平に載置される場合、その左側の端点が第１端、その右側の端点が第２端である。三つ以上の端点を有する電子モジュールであれば、図面の符号に準拠して説明する。
【００１０】
カード読取装置１は、ハウジング１０と、制御モジュール１１と、保護モジュール１３と、第１のスロット１４と、第２のスロット１５と、第１のコネクタ１６と、第２のコネクタ１７とを備える。
【００１１】
制御モジュール１１、保護モジュール１３、第１のスロット１４、第２のスロット１５及び第２のコネクタ１７はすべてハウジング１０に設けられる。第１のコネクタ１６は、伝送線１６１をさらに備え、第１のコネクタ１６及び伝送線１６１がハウジング１０の一側に設けられる。本実施例では、第１のスロット１４及び第２のスロット１５が第１のコネクタ１６と対向する一側に設けられる。第２のコネクタ１７が第１のコネクタ１６、第１のスロット１４及び第２のスロット１５の隣接する側に設けられる。
【００１２】
第１のスロット１４は、第１の記憶モジュール３を収容するためのものである。第２のスロット１５は第２の記憶モジュール４を収容するためのものである。すなわち、第１の記憶モジュール３と第２の記憶モジュール４は、それぞれ第１のスロット１４及び第２のスロット１５を介して制御モジュール１１と電気的に接続される。
【００１３】
本実施例では、第１の記憶モジュール３はセキュアデジタルカード（ｓｅｃｕｒｅ  ｄｉｇｉｔａｌ  ｃａｒｄ、ＳＤ  ｃａｒｄ）であり、第２の記憶モジュール４はマイクロセキュアデジタルカード（ｍｉｃｒｏ  ｓｅｃｕｒｅ  ｄｉｇｉｔａｌ  ｃａｒｄ、ｍｉｃｒｏ−ＳＤ  ｃａｒｄ）である。他の実施例では、第１の記憶モジュール３及び第２の記憶モジュール４の規格は、コンパクトフラッシュ（登録商標）カード（ｃｏｍｐａｃｔ  ｆｌａｓｈ  ｃａｒｄ、ＣＦ  ｃａｒｄ）、セキュアデジタルカード（ｓｅｃｕｒｅ  ｄｉｇｉｔａｌ  ｃａｒｄ、ＳＤ  ｃａｒｄ）、ミニセキュアデジタルカード（ｍｉｎｉｓｅｃｕｒｅ  ｄｉｇｉｔａｌ  ｃａｒｄ、ｍｉｎｉＳＤ  ｃａｒｄ）、又はマイクロセキュアデジタルカード（ｍｉｃｒｏ  ｓｅｃｕｒｅ  ｄｉｇｉｔａｌ  ｃａｒｄ、ｍｉｃｒｏ−ＳＤ  ｃａｒｄ）であってもよく、実際の要求に応じて選択してもよく、本考案においては制限されるものではない。
【００１４】
第１のコネクタ１６は携帯機器２と電気的に接続されるためのものである。第２のコネクタ１７は伝送線モジュール５と電気的に接続されるためのものである。電子装置６の第３のコネクタ６１と電気的に接続されるようにする。本実施例では、携帯機器２は携帯電話、タブレットコンピュータ又はウェアラブル機器である。電子装置６はデスクトップコンピュータ、ノートパソコン、タブレットコンピュータ、携帯電話、携帯電源装置又はウェアラブル機器であり、本考案においては制限されるものではない。
【００１５】
本実施例では、第１のコネクタ１６はライトニングコネクタ（ｌｉｇｈｔｎｉｎｇ  ｃｏｎｎｅｃｔｏｒ）のオスであり、第２のコネクタ１７はマイクロユニバーサルシリアルバスコネクタ（ｍｉｃｒｏ  ＵＳＢ  ｃｏｎｎｅｃｔｏｒ）又はＣ型ユニバーサルシリアルバスコネクタ（ＵＳＢ−Ｔｙｐｅ  Ｃ）のメスである。他の実施例では、第１のコネクタ１６と第２のコネクタ１７は、ライトニングコネクタ（ｌｉｇｈｔｎｉｎｇ  ｃｏｎｎｅｃｔｏｒ）、マイクロユニバーサルシリアルバスコネクタ（ｍｉｃｒｏ  ｕｎｉｖｅｒｓａｌ  ｓｅｒｉａｌ  ｂｕｓ  ｃｏｎｎｅｃｔｏｒ、ｍｉｃｒｏ  ＵＳＢ  ｃｏｎｎｅｃｔｏｒ）、ユニバーサルシリアルバスコネクタ（ｕｎｉｖｅｒｓａｌ  ｓｅｒｉａｌ  ｂｕｓ  ｃｏｎｎｅｃｔｏｒ、ＵＳＢ  ｃｏｎｎｅｃｔｏｒ）、ファイアワイヤコネクタ（Ｆｉｒｅｗｉｒｅ  ｃｏｎｎｅｃｔｏｒ）又は他のコネクタのオス又はメスであってもよく、本考案においては制限されるものではなく、設計者は実際の要求に応じて適切なコネクタの形態を選べることができる。
【００１６】
本実施例では、第１のスロット１４及び第２のスロット１５は、同時に第１の記憶モジュール３及び第２の記憶モジュール４に挿入されることができる。制御モジュール１１は第１のスロット１４及び第２のスロット１５を検出することで、第１の記憶モジュール３又は第２の記憶モジュール４に対してデータ伝送を選択的に行うことができる。すなわち、制御モジュール１１は第１の記憶モジュール３又は第２の記憶モジュール４に対してデータ読取又はデータ書込を行うことができる。なお、制御モジュール１１は同時に第１の記憶モジュール３及び第２の記憶モジュール４に対してデータ伝送を行うこともできる。本実施例では、カード読取装置１は第１の記憶モジュール３及び第２の記憶モジュール４の配置順番により、又は第１のスロット１４及び第２のスロット１５のプリセットの優先度に応じて第１の記憶モジュール３及び第２の記憶モジュール４を選択しデータ伝送を行うことができる。他の実施例では、他の異なる優先度で第１の記憶モジュール３及び第２の記憶モジュール４のデータ伝送の順番設定を行ってもよく、本考案においては制限されるものではない。
【００１７】
以下に図２及び図３に基づき、それぞれ、データ伝送及び給電方法をさらに説明する。図２を参照する。データ伝送の点で、携帯機器２は、第１のコネクタ１６を介して制御モジュール１１に電気的に接続されるので、第１のコネクタ１６、制御モジュール１１を介して第１の記憶モジュール３又は第２の記憶モジュール４に対してデータ読取又はデータ書込を行うことができる。
【００１８】
電子装置６は、第３のコネクタ６１、伝送線モジュール５及び第２のコネクタ１６を介して制御モジュール１１に電気的に接続されるので、第３のコネクタ６１、伝送線モジュール５及び第２のコネクタ１６、制御モジュール１１を介して第１の記憶モジュール３又は第２の記憶モジュール４に対してデータ読取又はデータ書込を行うことができる。
【００１９】
本考案に係る実施例のカード読取装置１は携帯機器２又は電子装置６のみと接続されてもよいので、カード読取装置１に稼動の電力を提供する対象は接続手段により異なる。本考案に係る実施例のカード読取装置１は携帯機器２又は電子装置６のみと接続されると、携帯機器２又は電子装置６は、それぞれ第１のコネクタ１６又は第２のコネクタ１７を介してカード読取装置１に電源を提供する。しかしながら、カード読取装置１が同時に携帯機器２及び電子装置６と接続される場合、電子装置６のみはカード読取装置１に電力を提供することができる。
【００２０】
図３を参照する。保護モジュール１３及び給電モジュール１８が第１のコネクタ１６と第２のコネクタ１７との間に設けられる。本実施例では、保護モジュール１３は、電圧検出ユニット１３１と、ツェナーダイオードＺ１と、スイッチユニット１３２とを備える。
【００２１】
電圧検出ユニット１３１は、第１の抵抗Ｒ１と、第２の抵抗Ｒ２と、第１のコンデンサＣ１とを備える。第１のコンデンサＣ１の第１端が第２のコネクタ１７及び第１の抵抗の第１端に電気的に接続される。第１のコンデンサＣ１の第２端が接地電位に電気的に接続される。第１の抵抗Ｒ１の第２端が第２の抵抗Ｒ２の第１端と電気的に接続される。第２の抵抗Ｒ２の第２端が接地電位と電気的に接続される。
【００２２】
電圧検出ユニット１３１の第１の抵抗Ｒ１の第１端がツェナーダイオードＺ１の第１端と電気的に接続され、ツェナーダイオードＺ１の第２端がスイッチユニット１３２のソース端と電気的に接続される。ツェナーダイオードＺ１は逆方向電流を防止するためのものである。
【００２３】
電圧検出ユニット１３１は第２のコネクタ１７により提供される第１の電圧Ｖ１を検出するためのものである。本実施例では、すなわち、第２のコネクタ１７により提供されるＵＳＢ電圧を検出するためのものである。
【００２４】
スイッチユニット１３２のゲート端が電圧検出ユニット１３１の第１の抵抗Ｒ１の第１端及びツェナーダイオードＺ１の第１端と電気的に接続される。すなわち、第２のコネクタ１７に電気的に接続される。スイッチユニット１３２のドレイン端が第１のコネクタ１６に電気的に接続される。本実施例では、スイッチユニット１３２はＰ型ＭＯＳＦＥＴである。すなわち、カード読取装置１が電子装置６と接続され、電子装置６の第３のコネクタ６１から第２のコネクタ１７に提供される第１の電圧Ｖ１が検出される場合、スイッチユニット１８２が閉じ、第２のコネクタ１７から制御モジュール１１に電源が提供される。すなわち、電子装置６からカード読取装置１に給電電圧Ｖｓｏｕｒｃｅが提供される。従って、同時に携帯機器２及び電子装置６と接続される場合、携帯機器２及び電子装置６が同時に電力をカード読取装置１に提供するという衝突問題を回避できる。
【００２５】
第２のコネクタ１７が電子装置６に接続されず、第１のコネクタ１６が携帯機器２に接続される場合、スイッチユニット１３２が開き、第１のコネクタ１６から制御モジュール１１に電源が提供される。すなわち、携帯機器２からカード読取装置１に給電電圧Ｖｓｏｕｒｃｅが提供される。
【００２６】
図３を参照する。本実施例では、カード読取装置１は、第１のコネクタ１６と第２のコネクタ１７との間に設けられる給電モジュール１８をさらに備える。保護モジュール１３の電圧検出ユニット１３１からカード読取装置１の第２のコネクタ１７が電子装置６に接続されたことが検出される場合、すなわち、第２のコネクタの第１の電圧Ｖ１が検出される場合、電圧検出ユニット１３１の第１の抵抗Ｒ１と第２の抵抗Ｒ２との間のノードＮ１は、フィードバック信号を制御モジュール１１に提供することにより、制御モジュール１１が制御信号を給電モジュール１８の制御端Ｎ２に送信し、給電モジュール１８が開く。そのため、電子装置６は第３のコネクタ６１、伝送線モジュール５、第２のコネクタ１７、給電モジュール１８及び第１のコネクタ１６を介して携帯機器２に給電することができる。言い換えれば、第１のコネクタ１６と第２のコネクタ１７との間で給電経路が確立されるように、制御モジュール１１は給電モジュール１８を制御する。すなわち、電子装置６はカード読取装置１、第１の記憶モジュール３及び第２の記憶モジュール４とデータ伝送を行うほか、さらにカード読取装置１を介して携帯機器２に対して充電することができる。
【００２７】
［実施例の効果］
本考案に係る実施例のカード読取装置は、２種類のコネクタと２つの記憶モジュールスロットとを備えるため、異なる記憶モジュール間で切り替えることができるだけでなく、同時に携帯機器及び電子装置と接続することができ、且つ携帯機器、電子装置、２種類の異なる記憶モジュール間でデータ伝送を行うことができる。これにより、利用者が異なる電子装置間でデータ伝送を行う場合に頻繁で繁雑な接続対象を変更する作業を効果的に削減できるため、便利で速やかなデータ伝送体験を提供する。
【００２８】
以上に述べられたのは本考案の実施例に過ぎず、それは本考案の実用新案登録請求の範囲を制限するためのものではない。
【符号の説明】
【００２９】
１    カード読取装置
２    携帯機器
３    第１の記憶モジュール
４    第２の記憶モジュール
５    伝送線モジュール
６    電子装置
１０    ハウジング
１１    制御モジュール
１３    保護モジュール
１４    第１のスロット
１５    第２のスロット
１６    第１のコネクタ
１７    第２のコネクタ
１８    給電モジュール
６１    第３のコネクタ
１６１    伝送線
１３１    電圧検出ユニット
１３２    スイッチユニット
Ｃ１    第１のコンデンサ
Ｒ１    第１の抵抗
Ｒ２    第２の抵抗
Ｎ１    ノード
Ｎ２    制御端
Ｖｓｏｕｒｃｅ    給電電圧
Ｚ１    ツェナーダイオード
【図１】
0003209884.tif 000003
【図２】
0003209884.tif 000004
【図３】
0003209884.tif 000005